(57)【要約】　　　（修正有）【課題】オペレータが容易にマンホール間のケーブルのルートを指定でき、指定されたルートの区間情報の表示を含め、ルート指定時間を大幅に減少させる。【解決手段】配電線路図設計装置１と、インターフェース２とを備え、前記インターフェース２は、設計者からの要求データを入力するとともに、配電線ルート検索結果を出力表示するように設けられ、前記配電線路図設計装置は、前記インターフェース２にから要求データを入力し、配電線ルート検索結果を前記インターフェース２に表示させる画面表示手段１４と、配電設備に関すデータを格納する設備データ１５と、前記要求データおよび配電データ１５のデータとから、ルート情報データ１７を作成するルート検索手段１３と、前記ルート情報データ１７を用いて編集データを作成し、ルート内の区間情報を前記画面表示手段１４から表示するルート指定手段１２とを有することを特徴とする。【選択図】　図１
2004126723.tif 000002
【特許請求の範囲】
【請求項１】
配電線路図設計装置と、インターフェースとを備え、
前記インターフェースは、設計者からの要求データを入力するとともに、配電線ルート検索結果を出力表示するように設けられ、
前記配電線路図設計装置は、前記インターフェースから要求データを入力し、配電線ルート検索結果を前記インターフェースに表示させる画面表示手段と、
配電設備に関すデータを格納する設備データと、
前記要求データおよび設備データとから、ルート情報データを作成するルート検索手段と、
前記ルート情報データを用いて編集データを作成し、この編集結果を表示するために前記画面表示手段を起動するルート表示手段と、
このルート表示手段によって編集されたルートを指定し、ルート内の区間情報を前記画面表示手段から表示するルート指定手段とを有することを特徴とする配電ケーブルのルート指定装置。
【請求項２】
前記ルート表示手段として、配電ケーブルのルートの検索結果を色別に編集するルート色替編集手段を有することを特徴とする配電線路図設計システム。
【請求項３】
前記ルート表示手段として、配電ケーブルのルートの検索結果をルート別に編集するルート別編集手段を有することを特徴とする請求項１記載の配電線路図設計システム。
【請求項４】
前記ルート表示手段として、配電ケーブルのルートの検索結果を最短経路順に色替え表示用に編集する最短ルート順編集手段を有することを特徴とする請求項１記載の配電線路図設計システム。
【請求項５】
前記ルート表示手段として、配電ケーブルのルートの検索結果をルート別に記号で表示用に編集するルート別記号編集手段を有することを特徴とする請求項１記載の配電線路図設計システム。
【請求項６】
前記ルート表示手段として、配電ケーブルのルートの検索結果を最短経路順に番号で表示用に編集するルート別番号編集手段を有することを特徴とする請求項１記載の配電線路図設計システム。
【請求項７】
前記ルート表示手段として、配電ケーブルのルートの検索結果をもとに検索された対象ルートが１画面に表示できるサイズに編集するサイズ編集手段を有することを特徴とする請求項１記載の配電線路図設計システム。
【請求項８】
前記ルート表示手段として、配電ケーブルのルートの検索結果をもとに検索された対象ルートを１画面に表示用に編集するスケルトン編集手段を有することを特徴とする請求項１記載の配電線路図設計システム。
【請求項９】
配電線路図設計装置と、インターフェース装置とを備え、以下の手順ａないし手順ｊにより、配電ケーブルのルートを指定するようにした配電ケーブルのルート指定方法。
（ａ）　インターフェ−ス装置おいて、表示された画面から、要求および開始マンホールおよび終了マンホールを選択して画面表示手段に入力する手順、
（ｂ）　この画面表示手段１４において、前記インターフェース装置から出力された開始マンホールおよび終了マンホールの選択信号に基づいて、要求データを作成してルート検索手段に渡す手順、
（ｃ）　このルート検索手段において、前記要求データと予め記憶されている設備データとを参照して、開始マンホールに等しいマンホール設備データ、終了マンホールに等しいマンホール設備データおよびそれらのマンホールにつながるルート設備データを取得し、この取得したルート設備データの集合であるルート情報データを作成する手順、
（ｄ）　ルート検索手段において、前記ルート情報データを作成後、前記要求データの要求に応じたルート表示手段を起動する手順、
（ｅ）　前記ルート情報データからその内容を取り出し、ルート表示データを作成し、その作成結果を表示するために前記画面表示手段を起動する手順、
（ｆ）　画面表示手段において、ルート表示データの情報から編集すべきルートを識別し、表示中のメニュー表示画面に表示されている情報から、該当ルートを編集して表示する手順、
（ｇ）　この編集された複数のルートの中から、情報を表示したいルートを一つ選択する手順、
（ｈ）　前記画面表示手段において、選択されたルートからルートＮｏ．データを作成してルート指定手段に渡す手順、
（ｉ）　このルート指定手段において、この情報により該当するルートの詳細情報を設備データから取り出し、前記画面表示手段に渡す手順、
（ｊ）　前記画面表示手段において、受け取った詳細情報をルート区間情報表示画面としてインターフェース装置に渡し表示させる手順。
【発明の詳細な説明】
【０００１】
【発明の属する技術分野】
本発明は、配電線路図設計システムにおける配電ケーブルのルート指定装置および方法に係り、特に表示画面上で地中配電用ケーブルのマンホール間ケーブルルートの検索と、ルート指定を行うようにした配電ケーブルのルート指定装置およびその方法に関する。
【０００２】
【従来の技術】
従来の配電線路図設計システムにおいては、ケーブルの追加、変更及び撤去等を行う場合、マンホール間のケーブルルートの検索を行っていた。検索の結果、ルートが２つ以上ある場合は、そのルートを検索不可とするとともに、ルートが複数存在する旨のメッセージを表示していた。
【０００３】
そして、オペレータは再度片側のマンホールをルートの始点として順に区間を指定し、反対側のマンホールの区間となるルートを終点として指定していた。この指定された区間のルートが正しいかどうかをチェックし、正しい場合は、そのルートの区間の情報を画面に表示していた。
【０００４】
【発明が解決しようとする課題】
このため、マンホール間に配電線ケーブルのルートが複数存在する場合、ルートの検索が不可となり、オペレータが順次区間を指定しているため、指定したいルートの決定までに非常に時間がかかっていた。
【０００５】
本発明は、配電線ケーブルのルート検索結果をもとに、オペレータが容易にマンホール間のケーブルのルートを指定でき、指定されたルートの区間情報の表示を含め、ルート指定時間を大幅に減少させることができる配電ケーブルのルート指定装置および方法を提供することを目的とする。
【０００６】
【課題を解決するための手段】
上記の目的を達成するため、請求項１に係る配電線路図設計システムの発明は、配電線路図設計装置１と、インターフェース２とを備え、前記インターフェース２は、設計者からの要求データを入力するとともに、配電線ルート検索結果を出力表示するように設けられ、前記配電線路図設計装置は、前記インターフェース２にから要求データを入力し、配電線ルート検索結果を前記インターフェース２に表示させる画面表示手段１４と、配電設備に関すデータを格納する設備データ１５と、前記要求データおよび設備データ１５とから、ルート情報データ１７を作成するルート検索手段１３と、前記ルート情報データ１７を用いて編集データを作成し、この編集結果を表示するために前記画面表示手段１４を起動するルート表示手段と、このルート編集手段によって編集されたルートを指定し、ルート内の区間情報を前記画面表示手段１４から表示するルート指定手段１２とを有することを特徴とする。
【０００７】
また、請求項８に係る配電ケーブルのルート指定方法は、配電線路図設計装置１と、インターフェース装置２とを備え、以下の手順ａないし手順ｊにより、配電ケーブルのルートを指定するようにした配電ケーブルのルート指定方法である。
【０００８】
（ａ）　インターフェ−ス装置おいて、表示された画面から、要求および開始マンホールおよび終了マンホールを選択して画面表示手段に入力する手順、
（ｂ）　この画面表示手段１４において、前記インターフェース装置２から出力された開始マンホールおよび終了マンホールの選択信号に基づいて、要求データを作成してルート検索手段に渡す手順、
（ｃ）　このルート検索手段において、前記要求データと予め記憶されている設備データとを参照して、開始マンホールに等しいマンホール設備データ、終了マンホールに等しいマンホール設備データおよびそれらのマンホールにつながるルート設備データを取得し、この取得したルート設備データの集合であるルート情報データを作成する手順、
（ｄ）　ルート検索手段において、前記ルート情報データを作成後、前記要求データの要求に応じたルート表示手段を起動する手順、
（ｅ）　前記ルート情報データからその内容を取り出し、ルート表示データを作成し、その作成結果を表示するために前記画面表示手段を起動する手順、
（ｆ）　画面表示手段において、ルート表示データの情報から編集すべきルートを識別し、表示中のメニュー表示画面に表示されている情報から、該当ルートを編集して表示する手順、
（ｇ）　この編集された複数のルートの中から、情報を表示したいルートを一つ選択する手順、
（ｈ）　前記画面表示手段において、選択されたルートからルートＮｏ．データを作成してルート指定手段に渡す手順、
（ｉ）　このルート指定手段において、この情報により該当するルートの詳細情報を設備データから取り出し、前記画面表示手段に渡す手順、
（ｊ）　前記画面表示手段において、受け取った詳細情報をルート区間情報表示画面としてインターフェース装置に渡し表示させる手順。
【０００９】
【発明の実施の形態】
以下、図面を参照して本発明の実施の形態について説明する。
図１全体は配電線路図設計システムを表す構成図であり、このうち１はコンピュータによって構成された配電線路図設計装置、２は操作手段および表示手段の両機能を兼ねるインターフェース（ＣＲＴ）である。
【００１０】
前記配電線路図設計装置１は、地中配電用マンホール相互間でケーブルルートの検索ならびにルートの指定を行うために、機能実現手段として、択一的に使用される７種類のルート表示手段（後述するルート色替編集手段１１、ルート別編集手段２１、最短ルート順編集手段３１、ルート別記号編集手段４１、ルート別番号編集手段５１、サイズ編集手段６１およびスケルトン編集手段７２）と、これらルート表示手段１１〜７２のいづれか一つが選択されたときに共通して使用される３種類の共通機能実現手段（後述するルート指定手段１２、ルート検索手段１３および画面表示手段１４）とを設けている。
【００１１】
そして、さらに上記７種類のルート表示手段が動作する際使用されるそれぞれ７種類のルート表示用データ（ルート色替編集データ１９、ルート別編集データ２２、最短ルート順データ３２、ルート別記号データ４２、ルート別番号データ５２、サイズ編集データ６２およびスケルトン編集データ７２）と、前記共通機能実現手段が動作する際使用される４種類の共通データ（設備データ１５、設計者からの要求データ１６、ルート情報データ１７およびルートＮｏ．データ１８）とを設けている。
【００１２】
なお、これらのデータうち設備データ１５は、予め磁気ディスク等へ記憶され、要求データ１６、ルート情報データ１７、ルートナンバーデータ１８およびルート表示用データ（ルート色替編集データ１９、ルート別編集データ２２、…スケルトン編集データ７２）はメモリ等に一時的に記録されるようになっている。
【００１３】
以下、各々のデータ構成例について順次詳細に説明する。
まず、図２を用いて前記設備データ１５のデータ構成例について説明する。この設備データ１５はマンホール相互間を接続するケーブルによる複数のルート「ルートＮｏ．１」、「ルートＮｏ．２」〜「ルートＮｏ．ｎ」毎に、「区間番号１」、「区間番号２」、〜「区間番号ｎ」を設け、さらにこれら区間番号１〜ｎそれぞれに「開始区間点Ｎｏ．」、「終了区間点Ｎｏ．」、「開始マンホールＮｏ．」、「終了マンホールＮｏ．」、「区間長さ」、「区間種別」、「ケーブル種別」のデータを格納するように構成している。
【００１４】
また、「マンホールＮｏ．１」〜「マンホールＮｏ．ｎ」毎に、「区間点Ｎｏ．」、「型式情報」、「埋設深さ情報」、「接続ルート数」および接続ルート数分の「ルートＮｏ．１」〜「ルートＮｏ．ｎ」を記録している。
【００１５】
次に、図３を参照して要求データ１６のデータ構成例について説明する。要求データ１６は、「要求コード」毎に「開始マンホールＮｏ．」および「終了マンホールＮｏ．」を用意しており、しかも「要求コード」は、前述したルート表示手段に対応する「１：ルート色替編集」、「２：ルート別」、「３：最短ルート順」、「４：ルート別記号」、「５：ルート別番号」、「６：サイズ編集」および「７：スケルトン編集」分の７種類用意している。
【００１６】
次に、図４を参照して、ルート情報データ１７のデータ構成例について説明する。ルート情報データ１７は、前述したマンホール相互間を接続するケーブルによるルート１〜ｎ毎に、「ルート情報１」、「ルート情報２」、・・・「ルート情報ｎ」を対応させ、そして「ルート情報」毎にそれぞれ「区間番号１」、「区間番号２」、・・・、「区間番号ｎ」を割付け、さらにこれら「区間番号」毎に「開始区間点情報」、「終了区間点情報」、「区間長さ情報」および「区間深さ情報」を割付けるようにして構成されている。
【００１７】
次に、図５を参照して、「ルートＮｏ．データ」１８について説明する。ルートＮｏ．データ１８はｎ個の区間番号から構成されている。
以上で、共通データについての説明が終了したので、次に各「ルート表示手段」によって使用される個別の「ルート表示データ」について説明する。
【００１８】
先ず、図６を参照して「ルート色替編集データ」１９から説明する。この「ルート色替編集データ」１９は、ルート色替編集情報（「ルート色替編集情報１」、「ルート色替編集情報２」・・・、「ルート色替編集情報ｎ」）を有し、それぞれのルート色替編集情報毎に、「色情報」を備えるように構成されている。
【００１９】
次に、図７を参照して「ルート別編集データ」２２について説明する。ルート別編集データ２２は、それぞれの「ルート別編集情報１」〜「ルート別編集情報ｎ」毎に「編集情報」を備えている。
【００２０】
次に、図８を参照して最短ルート順データ３２の構成について説明する。最短ルート順データは、それぞれの最短ルート順ごとに「最短ルートＮｏ．」を設けるように構成されている。
【００２１】
次に、図９を参照してルート別記号データ４２の構成について説明する。ルート別記号データ４２は、それぞれのルート別記号情報ごとに、「記号」を設けるように構成されている。
【００２２】
次に、図１０を参照してルート別番号データ５２の構成について説明する。ルート別番号データ５２は、それぞれのルート別番号編集情報ごとに、「ルート別番号」を設けた構成になっている。
【００２３】
次に、図１１を参照してサイズ編集データ６２の構成について説明する。サイズ編集データ６２は、それぞれの「ルート座標情報１」〜「ルート座標情報ｎ」ごとに２個づつＸ軸座標、Ｙ軸座標「Ｘ１，Ｘ２，Ｙ１，Ｙ２」を設け、さらに最大サイズ情報「Ｘｍｉｎ、Ｘｍａｘ、Ｙｍｉｎ，Ｙｍａｘ」を設けるように構成されている。
【００２４】
最後に、図１２を参照してスケルトン編集データ７２の構成について説明する。スケルトン編集データ７２は、それぞれのルート情報１〜ｎ毎に、Ｘ軸座標、Ｙ軸座標とも２個づつデータ「Ｘ１，Ｘ２，Ｙ１，Ｙ２」設けるように構成されている。
【００２５】
以上で、７種類のルート表示手段（ルート色替編集手段１１〜スケルトン編集手段７２）それぞれで使用するデータの構成説明が終了したので、次に前述した７種類の要求メニューに共通する画面表示内容から先に説明する。
【００２６】
まず、配電線路図設計装置１の初期画面であるメニュー表示画面（図１３）から説明する。図１３で示すように、メニュー表示画面は、左に地形図領域、右にその（メニュー）を表示するメニュー領域を設けた構成になっており、このうち地形図領域にはマンホール（ア）および（イ）と、このマンホール（ア）−（イ）間を連係する複数のルートナンバーＲＮｏ．１〜ＲＮｏ．ｎと、各ルートナンバーＲＮｏ．１〜ＲＮｏ．ｎを構成する区間番号１、２、３、４、５、…６を表示している。本図の例では、ルートＮｏ．１に属する区間番号は１および２、そしてルートＮｏ．ｎに属する区間番号は３、４および５である。区間番号６はマンホール（ア）−（イ）間の区間には存在しない。
【００２７】
一方、メニュー領域には、前述した７種類の要求メニューに対応するメニューボタンである「ルート色替編集」、「ルート別」、「最短ルート」、「ルート別記号」、「ルート別番号」、「サイズ」および「スケルトン」と、「セット」および「リセット」のボタンを設けた構成になっている。
【００２８】
設計者がインターフェース装置２に対して、ルート検索とルート指定とを行う場合には、この図１３のメユー画面から先ず、７種類の要求メニューの中から所望のメニューボタン（例えば、「ルート色替編集」ボタン）を選択し、セットボタンを押す。
【００２９】
次に、同図左の地形図領域において、ルートナンバーＲＮｏ．１〜ＲＮｏ．ｎの中から所望する一つのルートナンバーＲＮｏ．１〜ＲＮｏ．ｎを選択する。ルートの選択によりそのルートに含まれる区間が選択される。例えば、図示の場合、ルートＮｏ．１を選択すると、区間１と２が選択され、ルートＮｏ．ｎを選択すると、区間３、４、５が選択されることになる。ここでは、ルートＮｏ．１を選択したものとする。
【００３０】
メニュー表示画面（図１３）においてルートＮｏ．１を選択した場合、インターフェース２に表示される画面は、図１４の「ルート区間情報表示画面」で示す如く、選択したルートＮｏ．１が、地形図上で他のルートＮｏ．ｎと識別できるように、例えば色替え表示、あるいはフリッカー表示されるようになり、同時に右側のメニュー領域には地形図上に表示されたルートＮｏ．１の属性すなわち「管路種別」（推進管路）、「管路長さ」（１０．０）、「管路深さ」（２．１）、「ケーブル仕様情報」（ＣＡＢ用ケーブル）等が表示される。
【００３１】
次に、設計者がインターフェース装置２を介して前述した７種類のメニューを要求した場合の作用について、各要求毎に（ｉ）のルート色替編集要求から（Ｖｉｉ）のスケルトン編集要求まで説明する。
【００３２】
（ｉ）ルート色替編集要求
（ａ）　設計者は、インターフェ−ス装置２に表示されたメニュー表示画面（図１３）を見て、まず、メニュー領域にある７種類（「ルート表示」〜「スケルトン編集」）までの要求メニューボタンの中から、「ルート色替」ボタンを選択する。そして、同図１３において、地形図領域の開始マンホール（地形図領域中の左側に位置するマンホール「ア」）を選択し、続けて終了マンホール（地形図領域中右に位置するマンホール「イ」）を選択し、最後にメニュー領域にある［セット］ボタンを押下する。
【００３３】
（ｂ）　すると、画面表示手段１４は、上述したインターフェース装置２から出力された「開始マンホール」および「終了マンホール」の選択信号を入力し、この入力信号に基づいて図３に示す要求データ１６を作成してルート検索手段１３に渡す。
【００３４】
（ｃ）　ルート検索手段１３は、受け取った要求データ１６（図３）と予め記憶されている設備データ１５（図２）とを参照して、開始マンホールに等しいマンホール設備データ、終了マンホールに等しいマンホール設備データおよびそれらのマンホールにつながるルート設備データを取得する。そして、取得したルート設備データの集合であるルート情報データ１７（図４）を作成する。
【００３５】
（ｄ）　さらに、ルート検索手段１３は、ルート情報データ１７（図４）を作成後、要求データ１６（図３）の要求メニューに応じたルート色替編集手段１１を起動する（図１の符号Ａ）。
【００３６】
（ｅ）　すると、ルート色替編集手段１１は、前述のルート情報データ１７（図４）からその内容を取り出し（図１の符号Ｂ）、ルート色替データ１９（図６）を作成し、その作成結果をインターフェース２に表示するために画面表示手段１４を起動する。
【００３７】
図１５は、ルート色替編集手段１１の処理の流れを表示したフローチャートである。図１５において、ルート色替編集手段１１は、ｉを検索結果ルート数とし（ステップ１１１）、ルート検索手段１３からルート情報データ１７を受け取り、ルート色替データ１９を作成する（ステップ１１２）。この状態でデータが終了であるか否かを判断し（ステップ１１３）、データ終了（Ｙｅｓ）であれば画面表示手段１４を起動する（ステップ１１４）。
ステップ１１３において、データ終了でなければ（Ｎｏ）、カウンターでｉを１増加し（ステップ１１５）、データが終了するまで同様の処理を行う。
【００３８】
（ｆ）　図１に戻って説明する。画面表示手段１４はルート色替データ１９（図６）の情報から色替えすべきルートを識別し、インターフェース２で表示中のメニュー表示画面（図１３）に表示されている情報を、図１６で示すように地形図画面Ａ（図１３と同じ）を、図１６の地形図画面Ｂのように該当ルートを色替えして表示する。なお、図１６の画面Ｂにおける破線は画面表示色変更後の状態を示す。
【００３９】
（ｇ）　設計者は、図１６の地形図画面Ｂで色替えされた複数のルート（図１６では、１および２）の中から、情報を表示したいルートを一つ選択（画面の色替えされたルートＮｏ．をクリック）する。例えば、区間番号１および２からなるルート１（ＲＮｏ．１）をクリックする。
【００４０】
（ｈ）　画面表示手段１４は、選択されたルート１からルートＮｏ．データ１８（図５）を作成して、ルート指定手段１２に渡す。
（ｉ）　ルートＮｏ．データ（図５）を受け取ったルート指定手段１２は、この情報に基づいて該当するルートの詳細情報を設備データ１５（図２）から取り出し、画面表示手段１４に渡す。
【００４１】
（ｊ）　すると、画面表示手段１４は、受け取った詳細情報を、ルート区間情報表示画面（図１４）としてインターフェース装置２に渡し、表示させる。
（ｋ）　ルート区間情報表示画面（図１４）にて、［リセット］ボタンを押すと、インターフェース２の画面は、メニュー表示画面（図１３）に戻る。
【００４２】
以上述べたように、設計者が「ルート色替」のメニューボタンを選択した場合、ルート検索結果が例え複数ルート存在したとしても、そのルートを色替え表示するようにしたので、対象ルートの判別が行いやすく、またそのルートの詳細情報を画面右側のウィンドウで表示できるという特長がある。
【００４３】
（ｉｉ）ルート別編集要求
この要求例は、前述の要求例（ｉ）における「ルート色替編集手段１１」を「ルート別編集手段２１」に、また、「ルート色替データ１９」を「ルート別編集データ２２」に、それぞれ置き換えたものである。ルート別編集表示画面は図１８の構成となる。
【００４４】
次にこの要求例（ｉｉ）の作用について説明する。
この要求例におけるステップ（ａ）から（ｃ）までは前述の要求例（ｉ）の場合と同じなので説明を省略し、ステップ（ｄ）以降を説明する。
【００４５】
（ｄ）　ルート検索手段１３は、ルート情報データ１７（図４）を作成後、要求データ１６（図３）の要求に応じたルート別編集手段２１を起動する（図１の符号Ａ）。
【００４６】
（ｅ）　すると、ルート別編集手段２１は、図４に示すルート情報データ１７からその内容を取り出し（図１の符号Ｂ）、図７で示すルート別編集データ２２を作成し、その作成結果を表示するために画面表示手段１４を起動する。
【００４７】
図１７は、ルート別編集手段２１の処理の流れを表示したフローチャートである。図１７において、ルート別編集手段２１はｉを検索結果ルート数とし（ステップ２１１）、ルート検索手段１３からルート情報データ１７を受け取り、ルート色替データ１９を作成する（ステップ２１２）。この状態でデータが終了であるか否かを判断（ステップ２１３）し、データが終了（Ｙｅｓ）であれば、画面表示手段１４を起動する（ステップ２１４）。
ステップ２１３において、データが終了でなければ（Ｎｏ）、カウンターでｉを１増加し（ステップ２１５）、データが終了するまで同様の処理を行う。
【００４８】
（ｆ）　図１に戻って説明する。画面表示手段１４はルート別編集データ２２（図７）の情報から編集すべきルートを識別し、表示中のメニュー表示画面（図１３）に表示されている情報を図１８の地形図画面Ａからルート別編集画面Ｂのように新規画面として表示する。
【００４９】
（ｇ）　設計者は、図１８の画面Ｂに示されたルート別編集画面の中から、表示したいルートを選択（図１８の上下２つのルート画面のいずれかのボタンをクリック）する。選択した方のルートが他と識別できるように、表示色を変えたり選択されない方をグレーにしたりする（画面Ｃ）。
【００５０】
（ｈ）　画面表示手段１４は、選択されたルートからルートＮｏ．データ１８（図５）を作成して、ルート指定手段１２に渡す。
（ｉ）　ルートＮｏ．データ１８（図５）を受け取ったルート指定手段１２は、この情報から該当するルートの詳細情報を設備データ１５（図２）から取り出し、画面表示手段１４に渡す。
【００５１】
（ｊ）　画面表示手段１４は、受け取った詳細情報をルート区間情報表示画面（図１４）として表示する。
（ｋ）　ルート区間情報表示画面（図１４）にて、［リセット］ボタンを押すと、メニュー表示画面（図１３）に戻る。
【００５２】
以上述べたように、設計者が「ルート別］のメニューボタンを選択した場合、ルート検索結果が複数存在した場合でも対象ルートが見やすく編集表示され、またルート指定が容易にできる。
【００５３】
（ｉｉｉ）最短ルート順要求
この要求例は、要求例（ｉ）における「ルート色替編集手段１１」を最短ルート順編集手段３１に、また「ルート色替データ１９」を最短ルート順データ３２に、それぞれ置き換えて構成したものである。最短ルート順編集表示画面は図８の構成となる。
【００５４】
次にこの要求例（ｉｉｉ）の作用について説明する。
この要求例におけるステップ（ａ）から（ｃ）までは前述の要求例（ｉ）の場合と同じなので説明を省略し、ステップ（ｄ）以降を説明する。
【００５５】
（ｄ）　ルート検索手段１３は、ルート情報データ１７（図４）を作成後、要求データ１６（図３）の要求に応じた最短ルート順編集手段３１を起動する（図１の符号Ａ）。
【００５６】
（ｅ）　すると、最短ルート順編集手段３１は、図４に示すルート情報データ１７からその内容を取り出し（図１の符号Ｂ）、図８で示す最短ルート順編集データ３２を作成し、その作成結果を表示するために画面表示手段１４を起動する。
【００５７】
図１９は、最短ルート順編集手段３１の処理の流れを表示したフローチャートである。図１９において、最短ルート順編集手段３１はｉを検索結果ルート数とし（ステップ３１１）、ルート検索手段１３からルート情報データ１７を受け取り、最短ルート順データ３２を作成する（ステップ３１２）。
【００５８】
次のステップ３１３において、ステップ３１２で作成したデータ３２が設計者の求めるデータであれば（Ｙｅｓ）、画面表示手段１４を起動（ステップ３１４）し、インターフェースに詳細データを表示する。
【００５９】
しかし、ステップ３１３において、設計者の求めるデータでなければ（Ｎｏ）、設計者の求めるデータ作成されるまで、ステップ３１２、ステップ３１３の処理を繰り返す。
【００６０】
（ｆ）　図１に戻って説明する。画面表示手段１４は最短ルート順編集データ３２（図８）の情報から編集すべきルートを識別し、表示中のメニュー表示画面（図１３）に表示されている情報を図２０の地形図画面Ａからルート別編集画面Ｂのように新規画面として表示する。
【００６１】
（ｇ）　設計者は、図２０の画面Ｂに示されたルート別編集画面の中から、表示したいルートを選択する。選択した方のルートが他と識別できるように、表示色を変えたり選択されない方をグレーにしたりする。
【００６２】
（ｈ）　画面表示手段１４は、選択されたルートからルートＮｏ．データ１８（図５）を作成し、ルート指定手段１２に渡す。
（ｉ）　ルートＮｏ．データ１８（図５）を受け取ったルート指定手段１２は、この情報から該当するルートの詳細情報を設備データ１５（図２）から取り出し、画面表示手段１４に渡す。
【００６３】
（ｊ）　画面表示手段１４は、受け取った詳細情報をルート区間情報表示画面（図１４）として表示する。
（ｋ）　ルート区間情報表示画面（図１４）にて、［リセット］ボタンを押すと、メニュー表示画面（図１３）に戻る。
【００６４】
以上述べたように、設計者が「最短ルート］のメニューボタンを選択した場合、ルート検索結果が複数存在した場合でもルートを簡略化し表示することで、最短ルート順を分かりやすく、しかもルート指定を容易に行うことができる。
【００６５】
（ｉｖ）ルート別記号表示要求
本要求例は、要求例（ｉ）における「ルート色替編集手段１１」を「ルート別記号手段４１」に、また「ルート色替データ１９」を「ルート別記号データ４２」に、それぞれ置き換えて構成したものである。ルート別記号表示画面は図２２の構成となる。
【００６６】
次にこの要求例（ｉｖ）の作用について説明する。
この要求例におけるステップ（ａ）から（ｃ）までは前述の要求例（ｉ）の場合と同じなので説明を省略し、ステップ（ｄ）以降を説明する。
【００６７】
（ｄ）　ルート検索手段１３は、ルート情報データ１７（図４）を作成後、要求データ１６（図３）の要求に応じたルート別記号編集手段４１を起動する（図１の符号Ａ）。
【００６８】
（ｅ）　すると、ルート別記号編集手段４１は、図４に示すルート情報データ１７からその内容を取り出し（図１の符号Ｂ）、図９で示すルート別記号表示データ４２を作成し、その作成結果を表示するために画面表示手段１４を起動する。
【００６９】
図２１は、ルート別記号編集手段４１の処理の流れを表示したフローチャートである。図２１において、ルート別記号編集手段４１はｉを検索結果ルート数とし（ステップ４１１）、ルート検索手段１３からルート情報データ１７を受け取り、ルート別記号データ４２を作成する（ステップ４１２）。
この状態でデータが終了であるか否かを判断（ステップ４１３）し、データが終了（Ｙｅｓ）であれば、画面表示手段１４を起動する（ステップ４１４）。
ステップ４１３において、データが終了でなければ（Ｎｏ）、カウンターでｉを１増加し（ステップ４１５）、データが終了するまで同様の処理を行う。
【００７０】
（ｆ）　図１に戻って説明する。画面表示手段１４はルート別記号表示データ４２（図９）の情報から編集すべきルートを識別し、表示中のメニュー表示画面（図１３）に表示されている情報を図２２の地形図画面Ａからルート別編集画面Ｂのように新規画面として表示する。この画面Ｂにはルート近傍に記号（ａ），（ｂ），（ｃ）が表れている。
【００７１】
（ｇ）　設計者は、図２２の画面Ｂに示された記号処理後の画面の中から、記号（ａ），（ｂ），（ｃ）によって表示したいルートを選択する。
（ｈ）　画面表示手段１４は、選択されたルートからルートＮｏ．データ１８（図５）を作成し、ルート指定手段１２に渡す。
【００７２】
（ｉ）　ルートＮｏ．データ１８（図５）を受け取ったルート指定手段１２は、この情報から該当するルートの詳細情報を設備データ１５（図２）から取り出し、画面表示手段１４に渡す。
【００７３】
（ｊ）　画面表示手段１４は、受け取った詳細情報をルート区間情報表示画面（図１４）として表示する。
（ｋ）　ルート区間情報表示画面（図１４）にて、［リセット］ボタンを押すと、メニュー表示画面（図１３）に戻る。
【００７４】
以上述べたように、設計者が「ルート別記号］のメニューボタンを選択した場合、ルート検索結果が複数存在した場合でも対象ルートが記号で表記されているため認識しやすく、またルート指定が容易にできる。
【００７５】
（ｖ）ルート別番号要求
本要求例は、要求例（ｉ）における「ルート色替編集手段１１」を「ルート別番号編集手段５１」に、また、「ルート色替データ１９」を「ルート別番号データ５２」に、それぞれ置き換えて構成したものである。「ルート別番号表示画面」は図２４の構成となる。
【００７６】
次にこの要求例（ｖ）の作用について説明する。
この要求例におけるステップ（ａ）から（ｃ）までは前述の要求例（ｉ）の場合と同じなので説明を省略し、ステップ（ｄ）以降を説明する。
【００７７】
（ｄ）　ルート検索手段１３は、ルート情報データ１７（図４）を作成後、要求データ１６（図３）の要求に応じたルート別番号編集手段５１を起動する（図１の符号Ａ）。
【００７８】
（ｅ）　すると、ルート別番号編集手段５１は、図４に示すルート情報データ１７からその内容を取り出し（図１の符号Ｂ）、図１０で示すルート別番号データ５２を作成し、その作成結果を表示するために画面表示手段１４を起動する。
【００７９】
図２３は、ルート別番号編集手段５１の処理の流れを表示したフローチャートである。図２３において、ルート別番号編集手段５１はｉを検索結果ルート数とし（ステップ５１１）、ルート検索手段１３からルート情報データ１７を受け取り、ルート別番号データ５２を作成する（ステップ５１２）。この状態でデータが終了であるか否かを判断（ステップ５１３）し、データが終了（Ｙｅｓ）であれば、画面表示手段１４を起動する（ステップ５１４）。
ステップ５１３において、データが終了でなければ（Ｎｏ）、カウンターでｉを１増加し（ステップ５１５）、データが終了するまで同様の処理を行う。
【００８０】
（ｆ）　図１に戻って説明する。画面表示手段１４はルート別番号データ５２（図１０）の情報から編集すべきルートを識別し、表示中のメニュー表示画面（図１３）に表示されている情報を図２４の地形図画面Ａからルート別編集画面Ｂのように新規画面として表示する。画面Ｂの各ルートの近傍には、まる数字▲１▼、▲２▼、▲３▼が表れている。
【００８１】
（ｇ）　設計者は、図２４のＢに示された記号処理後の画面の中から、表示したいルートをまる数字から選択する。
（ｈ）　画面表示手段１４は、選択されたルートからルートＮｏ．データ１８（図５）を作成し、ルート指定手段１２に渡す。
【００８２】
（ｉ）　ルートＮｏ．データ１８（図５）を受け取ったルート指定手段１２は、この情報から該当するルートの詳細情報を設備データ１５（図２）から取り出し、画面表示手段１４に渡す。
【００８３】
（ｊ）　画面表示手段１４は、受け取った詳細情報をルート区間情報表示画面（図１４）として表示する。
（ｋ）　ルート区間情報表示画面（図１４）にて、［リセット］ボタンを押すと、メニュー表示画面（図１３）に戻る。
【００８４】
以上述べたように、設計者が「ルート別番号］のメニューボタンを選択した場合、ルート検索結果が複数存在した場合でも対象ルートが番号で表記されているため認識しやすく、またルート指定が容易にできる。
【００８５】
（ｖｉ）サイズ編集要求
本要求は、要求例（ｉ）における「ルート色替編集手段１１」を「サイズ編集手段６１」に、また「ルート色替編集データ１９」を「サイズ編集データ６２」に、それぞれ置き換えて構成したものである。サイズ編集画面は図２６の構成となる。
【００８６】
次にこの要求例（ｖｉ）の作用について説明する。
（ａ１）　設計者は、インターフェ−ス装置２に表示された図１３のメニュー表示画面を見て、メニュー領域にある７種類（「ルート表示」〜「スケルトン」）の要求メニューの中から「サイズ編集手段」を選択し、次に、地形図領域の開始マンホール（地形図領域中の左側に位置するマンホール「ア」）を選択する。
【００８７】
（ａ２）　すると、配電線路図設計装置１に設けられた画面表示手段１４は、［サイズ編集］という要求、及び「開始マンホール」から要求データを作成し、「ルート検索手段」１３に渡す。
【００８８】
（ａ３）　「ルート検索手段」１３は、受け取った「要求データ」と「設備データ」とを参照し、「開始マンホール」に等しい「マンホール設備データ」を取得し、そのマンホールにつながる「ルート設備データ」を取得し、取得データの集合である「ルート情報データ」を作成する。
【００８９】
（ａ４）　「ルート検索手段」１３は、「ルート情報データ」１７を作成後、「サイズ編集手段」６１を起動する。
（ａ５）　「サイズ編集手段」６１は、「ルート情報データ」１７から「サイズ編集データ」６２を作成し、結果を表示する為に「画面表示手段」１４を起動する。
（ａ６）　「画面表示手段」１４は「サイズ編集データ」６２の情報からサイズ編集し表示すべき画面範囲を判定し、そのサイズで画面表示する（図２６参照）。
【００９０】
以上でサイズ編集の要求例を選択した場合の作用は終るが、この「サイズ編集手段」を他の手段と併用する場合は、このステップ（ａ６）の後に、次のステップ（ａ７）を処理し、続けて前述した他の要求例でのステップ（ｂ）〜（ｊ）と同様なステップを踏む。
【００９１】
すなわち、
（ａ７）　終了マンホール（画面の地形図にあるマンホール「イ」）を選択し、［セット］ボタンを押下する。
（ｂ）　画面表示手段は、画面にて選択された「要求」「開始マンホール」「終了マンホール」から要求データ１６（図３）を作成し、ルート検索手段１３に渡す。
【００９２】
（ｃ）　ルート検索手段１３は、受け取った要求データ１６と設備データ１５を参照し、開始マンホールに等しいマンホール設備データ（図２）、終了マンホールに等しいマンホール設備データ（図２）を取得し、そのマンホールにつながるルート設備データ（図２）を取得し、取得データの集合であるルート情報データ１７（図４）を作成する。
【００９３】
（ｄ）　ルート検索手段１３は、ルート情報データ１７（図４）を作成後、要求データ１６（図３）の要求に応じたサイズ編集手段６１を起動する（図１の符号Ａ）。
（ｅ）　すると、サイズ編集手段６１は、ルート情報データ１７（図４）の内容を取り出し（図１の符号Ｂ）、サイズ編集データ６２（図１１）を作成し、その作成結果を表示するために画面表示手段１４を起動する。
【００９４】
図２５は、サイズ編集手段６１の処理の流れを表示したフローチャートである。図２５において、サイズ編集手段６１はｉを検索結果ルート数とし（ステップ６１１）、ルート検索手段１３からルート情報データ１７を受け取り、サイズ編集データ６２を作成する（ステップ６１２）。この状態でデータが終了であるか否かを判断（ステップ６１３）し、データが終了（Ｙｅｓ）であれば、画面表示手段１４を起動する（ステップ６１４）。
ステップ６１３において、データが終了でなければ（Ｎｏ）、カウンターでｉを１増加し（ステップ６１５）、データが終了するまで同様の処理を行う。
【００９５】
（ｆ）　図１に戻って説明する。画面表示手段１４はサイズ編集データ６２（図１１）の情報から編集すべきルートを識別し、表示中のサイズ編集表示画面（図２６）に表示されている情報を図２６の地形図画面Ａからサイズの変更された地形図画面Ｂを表示する。
【００９６】
（ｇ）　設計者は、図２６のＡの表示画面中マンホール（ア）を選択する。
（ｈ）　画面表示手段１４は、選択されたルートからルートＮｏ．データ１８（図５）を作成し、ルート指定手段１２に渡す。
【００９７】
（ｉ）　ルートＮｏ．データ１８（図５）を受け取ったルート指定手段１２は、この情報から該当するルートの詳細情報を設備データ１５（図２）から取り出し、画面表示手段１４に渡す。
【００９８】
（ｊ）　画面表示手段１４は、受け取った詳細情報をルート区間情報表示画面（図１５）として表示する。
（ｋ）　ルート区間情報表示画面（図１４）にて、［リセット］ボタンを押すと、メニュー表示画面（図１３）に戻る。
【００９９】
以上述べたように、設計者が「サイズ］のメニューボタンを選択した場合、ルート検索結果が複数存在した場合でも対象ルートが画面からはみでることなく、１画面内に表示されるため、全体像を認識しやすく、またルート指定が容易にできる。
【０１００】
（ｖｉｉ）　スケルトン編集要求
本要求例は、要求例（ｉ）における「ルート色替編集手段１１」を「スケルトン表示手段７１」に、また「ルート色替編集データ１９」を「ケルトン編集データ７２」に、それぞれ置き換えて構成したものである。スケルトン表示画面は図２８の構成となる。
【０１０１】
次にこの要求例（ｖｉｉ）の作用について説明する。
この要求例におけるステップ（ａ）から（ｃ）までは前述の要求例（ｉ）の場合と同じなので説明を省略し、ステップ（ｄ）以降を説明する。
【０１０２】
（ｄ）　ルート検索手段１３は、ルート情報データ１７（図４）を作成後、要求データ１６（図２）の要求に応じたスケルトン編集手段７１を起動する（図１の符号Ａ）。
【０１０３】
（ｅ）　すると、スケルトン編集手段７１は、ルート情報データ１７（図４）の内容を取り出し（図１の符号Ｂ）、スケルトン編集データ７２（図１２）を作成し、その作成結果を表示するために画面表示手段１４を起動する。
【０１０４】
図２７はスケルトン編集手段７１の処理の流れを表示したフローチャートである。図２７において、スケルトン編集手段７１はｉを検索結果ルート数とし（ステップ７１１）、ルート検索手段１３からルート情報データ１７を受け取り、スケルトン編集データ７２を作成する（ステップ７１２）。
この状態でデータが終了であるか否かを判断（ステップ５１３）し、データが終了（Ｙｅｓ）であれば、画面表示手段１４を起動する（ステップ５１４）。
【０１０５】
ステップ５１３において、データが終了でなければ（Ｎｏ）、カウンターでｉを１増加し（ステップ５１５）、データが終了するまで同様の処理を行う。この状態でデータが終了であるか否かを判断（ステップ７１３）し、データが終了（Ｙｅｓ）であれば、画面表示手段１４を起動する（ステップ７１４）。
【０１０６】
ステップ７１３において、データが終了でなければ（Ｎｏ）、カウンターでｉを１増加し（ステップ５１５）、データが終了するまで同様の処理を行う。それでデータが終了であれば（ステップ７１３）、画面表示手段１４を起動する（ステップ７１４）。ステップ７１３において、データが終了でなければｉを１増加し（ステップ７１５）、データが終了するまで同様の処理を行う。
【０１０７】
（ｆ）　画面表示手段１４はスケルトン編集データ７２（図１２）の情報から編集すべきルートを識別し、表示中のメニュー表示画面（図１３）に表示されている情報を、図２８の地形図画面Ａからスケルトン編集画面（地形図画面Ｂ）のように新規画面として表示する。
【０１０８】
（ｇ）　設計者は、図２８の画面Ｂに示されたスケルトン編集画面の中から、表示したいルートを選択（スケルトン画面中のいずれかのルート（６−７、１−２あるいは３−４−５）上をクリック）する。これにより、選択した方のルートが他のルートと識別できるように、ルート表示色を変えたり、選択されなかったルートをグレーにしたりする。
【０１０９】
（ｈ）　画面表示手段１４は、選択されたルートからルートＮｏ．データ１８（図５）を作成し、ルート指定手段１２に渡す。
（ｉ）　ルートＮｏ．データ１８（図５）を受け取ったルート指定手段１２は、この情報から該当するルートの詳細情報を設備データ１５（図２）から取り出し、画面表示手段１４に渡す。
【０１１０】
（ｊ）　画面表示手段１４は、受け取った詳細情報をルート区間情報表示画面（図１４）として表示する。
（ｋ）　ルート区間情報表示画面（図７）にて、［リセット］ボタンを押すと、メニュー表示画面（図１３）に戻る。
【０１１１】
以上述べたように、設計者が「スケルトン］のメニューボタンを選択した場合、ルート検索結果が複数存在した場合でも対象ルートが全て１画面内にスケルトン形式で表示されるため、全体像を認識しやすく、またルート指定が容易にできる。
【０１１２】
【発明の効果】
本発明によれば、配電線路図設計装置のルート検索結果を効率的に利用することができる。またルート検索結果の表示方法を効果的に表示させることで、設計者のオペレーションを単純化することができ、結果ルート検索からルート区間情報の表示までにかかる時間を大幅に減少できる。
【図面の簡単な説明】
【図１】本発明による配電線路図設計装置の１実施形態の構成図。
【図２】設備データ構成図。
【図３】要求データ構成図。
【図４】ルート情報データ構成図。
【図５】ルートＮｏ．データ構成図。
【図６】ルート色替データ構成図。
【図７】ルート別編集データ構成図。
【図８】最短ルート順データ構成図。
【図９】ルート別記号データ構成図。
【図１０】ルート別番号データ構成図。
【図１１】サイズ編集データ構成図。
【図１２】スケルトン編集データ構成図。
【図１３】メニュー表示画面。
【図１４】ルート区間情報表示画面。
【図１５】ルート色替編集手段処理フローチャート。
【図１６】検索ルート色替編集表示画面。
【図１７】検索ルート別編集処理フローチャート。
【図１８】検索ルート別編集表示画面。
【図１９】最短ルート順編集処理フローチャート。
【図２０】検索ルートの最短ルート順表示画面。
【図２１】検索ルート別記号表示処理フローチャート。
【図２２】検索ルート別記号表示画面。
【図２３】ルート別番号処理フローチャート。
【図２４】検索ルート別番号表示画面。
【図２５】サイズ編集処理フローチャート。
【図２６】検索ルートのサイズ編集表示画面。
【図２７】スケルトン編集処理フローチャート。
【図２８】検索ルートのスケルトン表示画面。
【符号の説明】
１…配電線路図設計装置、２…インターフェース装置（ＣＲＴ）、１１…ルート色替編集手段、１２…ルート指定手段、１３…ルート検索手段、１４…画面表示手段、１５…設備データ、１６…要求データ、１７…ルート情報データ、１８…ルートＮｏ．データ、１９…ルート色替データ、２１…ルート別編集手段、２２…ルート別編集データ、３１…最短ルート順編集手段、３２…最短ルート順データ、４１…ルート別記号編集手段、４２…ルート別記号データ、５１…ルート別番号編集手段、５２…ルート別番号データ、６１…サイズ編集手段、６２…サイズ編集データ、７１…スケルトン編集手段、７２…スケルトン編集データ。
【図１】
2004126723.tif 000003
【図２】
2004126723.tif 000004
【図３】
2004126723.tif 000005
【図４】
2004126723.tif 000006
【図５】
2004126723.tif 000007
【図６】
2004126723.tif 000008
【図７】
2004126723.tif 000009
【図８】
2004126723.tif 000010
【図９】
2004126723.tif 000011
【図１０】
2004126723.tif 000012
【図１１】
2004126723.tif 000013
【図１２】
2004126723.tif 000014
【図１３】
2004126723.tif 000015
【図１４】
2004126723.tif 000016
【図１５】
2004126723.tif 000017
【図１６】
2004126723.tif 000018
【図１７】
2004126723.tif 000019
【図１８】
2004126723.tif 000020
【図１９】
2004126723.tif 000021
【図２０】
2004126723.tif 000022
【図２１】
2004126723.tif 000023
【図２２】
2004126723.tif 000024
【図２３】
2004126723.tif 000025
【図２４】
2004126723.tif 000026
【図２５】
2004126723.tif 000027
【図２６】
2004126723.tif 000028
【図２７】
2004126723.tif 000029
【図２８】
2004126723.tif 000030